(57)【要約】【課題】温度管理を適切に行うと共に、天然芝を保護することができる養生構造及び養生方法を提供する。【解決手段】一実施形態に係る養生構造は、天然芝１１を養生する養生構造１であって、天然芝１１を覆うと共に天然芝１１に対向する空隙部を有する空隙保持部材２と、空隙保持部材２に設けられて天然芝１１を冷却するクーリングパイプ３と、クーリングパイプ３及び空隙保持部材２に載せられてクーリングパイプ３及び空隙保持部材２を保護すると共に、クーリングパイプ３及び空隙保持部材２を断熱する断熱剛性部材５と、を備える。【選択図】図３
2018166504.tif 000002
【特許請求の範囲】
【請求項１】
天然芝を養生する養生構造であって、
前記天然芝を覆うと共に前記天然芝に対向する空隙部を有する空隙保持部材と、
前記空隙保持部材に設けられて前記天然芝を冷却するクーリングパイプと、
前記クーリングパイプ及び前記空隙保持部材に載せられて前記クーリングパイプ及び前記空隙保持部材を保護すると共に、前記クーリングパイプ及び前記空隙保持部材を断熱する断熱剛性部材と、
を備える養生構造。
【請求項２】
前記空隙保持部材に挿通されて前記天然芝に前記空隙保持部材を固定する複数のピンを備える、
請求項１に記載の養生構造。
【請求項３】
前記断熱剛性部材は、前記空隙保持部材の上方に位置する剛性部材と、前記剛性部材に載せられる断熱材とを含む、
請求項１又は２に記載の養生構造。
【請求項４】
前記断熱剛性部材の前記天然芝側の面に取り付けられて前記天然芝に光を照射する発光素子を更に備える、
請求項１〜３のいずれか一項に記載の養生構造。
【請求項５】
前記空隙保持部材は、前記天然芝に対向する第１空隙保持部材と、前記第１空隙保持部材から見て前記天然芝の反対側に位置する第２空隙保持部材とを含んでおり、
前記クーリングパイプは、前記第１空隙保持部材及び前記第２空隙保持部材の間に挟まれている、
請求項１〜４のいずれか一項に記載の養生構造。
【請求項６】
前記クーリングパイプは、前記空隙保持部材の内部に挿通されている、
請求項１〜４のいずれか一項に記載の養生構造。
【請求項７】
天然芝を養生する養生方法であって、
空隙部を有する空隙保持部材にクーリングパイプを設置する工程と、
前記クーリングパイプが設けられた前記空隙保持部材を前記天然芝に載せる工程と、
前記クーリングパイプ及び前記空隙保持部材に、前記クーリングパイプ及び前記空隙保持部材を保護すると共に前記クーリングパイプ及び前記空隙保持部材を断熱する断熱剛性部材を載せる工程と、
を備える養生方法。
【請求項８】
前記クーリングパイプを設置する工程は、
前記空隙保持部材を構成する第１空隙保持部材と第２空隙保持部材との間に前記クーリングパイプを挟み込む工程と、
前記第１空隙保持部材及び前記第２空隙保持部材に複数のピンを挿通させて前記第１空隙保持部材と前記第２空隙保持部材とを互いに接合する工程と、を含んでおり、
前記空隙保持部材を前記天然芝に載せる工程では、前記天然芝に前記複数のピンを挿し込む、
請求項７に記載の養生方法。
【請求項９】
前記空隙保持部材を前記天然芝に載せる工程の前に、前記天然芝に耐踏圧資材を埋め込む工程を備える、
請求項７又は８に記載の養生方法。
【発明の詳細な説明】
【技術分野】
【０００１】
本発明は、天然芝を養生する養生構造及び養生方法に関する。
【背景技術】
【０００２】
従来から、天然芝を養生する養生構造及び養生方法としては種々のものが知られている。特許文献１には、天然芝の競技場の構造及び保守方法が記載されている。この構造は、複数のフレームと、複数のフレーム上に設けられる複数の矩形枠状のパレットと、各パレットにおいて育成されると共に外部に露出する天然芝とを備える。複数のフレームの下には、液体肥料を噴霧する複数の噴霧ノズルと、基礎地盤上に設けられて過剰な液体肥料を回収する回収パンとが設けられる。特許文献１の保守方法では、スポーツイベント等によって天然芝が損傷したときに、天然芝とパレットとを共に交換することにより、天然芝を利用できない期間を減らすことを可能としている。
【０００３】
特許文献２には、芝生育成制御方法、芝生グラウンドの温度管理方法、及び芝生グラウンド管理装置が記載されている。この芝生育成制御方法では、サッカー競技用芝生グラウンドに管材が埋め込まれ、管材に熱媒体を流通させることによって温度管理が行われる。グラウンドは複数のゾーンに区分けされ、各ゾーンごとに熱媒体の流通時間、流通量及び温度の少なくともいずれかが調整されて芝生の育成条件が制御される。
【０００４】
特許文献３には、芝育成管理装置が記載されている。芝育成管理装置は、芝植栽地に埋め込まれた埋設配管路と、芝植栽地の温度を検知する温度検知器と、埋設配管路に冷水又は温水を供給する冷温水機及び冷温水循環ポンプと、温度検知器が検知した温度に基づいて埋設配管路への冷水及び温水の温度を制御する温度制御装置とを備える。芝植栽地は、外部に露出する天然芝と、天然芝の下層に位置する細砂と、細砂の下層に位置する粗砂と、粗砂の下層に位置する砕石と、砕石の下層に位置する基盤とを備える。この芝育成管理装置では、寒冷期に芝植栽地の温度を１５〜２０℃以上に保持することにより、芝の枯死を防止すると共に芝の発育の促進を図っている。
【先行技術文献】
【特許文献】
【０００５】
【特許文献１】特開平７−２６５４８８号公報
【特許文献２】特開平１０−３１３６７６号公報
【特許文献３】特開平７−１４３８１８号公報
【発明の概要】
【発明が解決しようとする課題】
【０００６】
天然芝を養生するときに、前述したように天然芝が外部に露出する場合、熱が外部に逃げやすくなるため、温度管理を適切に行えなくなる懸念がある。また、芝生グラウンドでは、春季、夏季及び秋季に競技が行われると共に冬季にコンサート等のイベントが行われることがある。芝生グラウンドにおいて冬季にイベントが行われる場合、天然芝の上にカバーがかけられることがある。このように天然芝の上にカバーがかけられてイベントが行われる場合、天然芝が傷んで春季に競技を行うときに天然芝が回復しないという問題が生じうる。
【０００７】
本発明は、温度管理を適切に行うと共に、天然芝を保護することができる養生構造及び養生方法を提供することを目的とする。
【課題を解決するための手段】
【０００８】
前述した課題を解決するために、本発明者が鋭意検討した結果、冬季に天然芝を−５℃以上且つ０℃以下に温度管理して天然芝を冬眠状態に維持すると、天然芝を傷めずに養生できるという知見を見出した。「天然芝を冬眠状態にする」とは、天然芝が枯れない程度に天然芝が冷却されて天然芝の代謝活動が抑えられた状態を示している。すなわち、天然芝に雪を被せた状態を再現して天然芝を−５℃以上且つ０℃以下に冷却することにより、天然芝を傷めることなく、春季に競技を開始するときに天然芝を回復させることができる。本発明は、かかる知見に基づいてなされたものである。
【０００９】
すなわち、本発明に係る養生装置は、天然芝を養生する養生構造であって、天然芝を覆うと共に天然芝に対向する空隙部を有する空隙保持部材と、空隙保持部材に設けられて天然芝を冷却するクーリングパイプと、クーリングパイプ及び空隙保持部材に載せられてクーリングパイプ及び空隙保持部材を保護すると共に、クーリングパイプ及び空隙保持部材を断熱する断熱剛性部材と、を備える。
【００１０】
この養生装置では、空隙部を有する空隙保持部材が天然芝を覆う。従って、天然芝の上方に空隙保持部材の空隙部が設けられることにより、天然芝の呼吸を妨げないようにすることができるので、天然芝の生育が妨げられないようにすることができる。また、空隙保持部材には天然芝を冷却するクーリングパイプが設けられているので、クーリングパイプに冷媒を供給することによって天然芝を−５℃以上且つ０℃以下に冷却させて温度管理を適切に行うことができる。よって、天然芝に雪を被せた状態を再現することができ、天然芝を冬眠状態にすることができるので、冬季に天然芝を傷めないようにすることができる。従って、春季に競技を開始するときに天然芝を回復させることができる。更に、クーリングパイプ及び空隙保持部材には断熱剛性部材が載せられるので、断熱剛性部材によってクーリングパイプ及び空隙保持部材を保護することができる。すなわち、断熱剛性部材に荷重がかかっても空隙保持部材及びクーリングパイプが潰れないようにすることができ、荷重に対する耐性を高めることができる。従って、断熱剛性部材に上から荷重がかかっても天然芝に対する影響を抑えることができるため、天然芝を冬眠させた状態で断熱剛性部材の上でコンサート等のイベントを行うことができる。また、断熱剛性部材によってクーリングパイプ及び空隙保持部材が断熱されるので、クーリングパイプ及び空隙保持部材が外部の温度の影響を受けないようにすることができると共に、クーリングパイプ及び空隙保持部材の冷熱が断熱剛性部材の外部に逃げないようにすることができる。従って、天然芝に対する冷却作用を確実に維持することができるので、天然芝をより確実に冬眠状態に維持することができる。
【００１１】
また、養生構造は、空隙保持部材に挿通されて天然芝に空隙保持部材を固定する複数のピンを備えてもよい。この場合、複数のピンが空隙保持部材に挿通されることによって天然芝に空隙保持部材を固定して天然芝の上で空隙保持部材を支えることができる。従って、空隙保持部材を天然芝の上で支えることによって天然芝を傷めないようにすることができると共に、天然芝に対する空隙保持部材の位置ずれを抑制することができる。
【００１２】
また、断熱剛性部材は、空隙保持部材の上方に位置する剛性部材と、剛性部材に載せられる断熱材とを含んでもよい。この場合、空隙保持部材の上方に設けられる剛性部材によって、上から荷重がかかっても荷重を分散することができる。剛性部材は、空隙保持部材の上部で上からかかる荷重を分散するため、空隙保持部材にかかる荷重を抑えて空隙保持部材を保護することができる。また、剛性部材の上部に断熱材が設けられることにより、断熱材を剛性部材とは別にして軽量の断熱材を用いることができる。従って、断熱材の運搬及び敷設を容易に行うことができるので、天然芝の養生作業の作業性を向上させることができる。
【００１３】
また、養生構造は、断熱剛性部材の天然芝側の面に取り付けられて天然芝に光を照射する発光素子を更に備えてもよい。この場合、発光素子から空隙保持部材を介して天然芝に光を照射することにより、天然芝に対する雪の透過光を再現することができる。よって、天然芝にぼんやりとした青系統の光を照射して波長が短い光を天然芝に照射することができるので、天然芝の生育をより確実に維持することができる。
【００１４】
また、空隙保持部材は、天然芝に対向する第１空隙保持部材と、第１空隙保持部材から見て天然芝の反対側に位置する第２空隙保持部材とを含んでおり、クーリングパイプは、第１空隙保持部材及び第２空隙保持部材の間に挟まれていてもよい。この場合、第１空隙保持部材及び第２空隙保持部材の間にクーリングパイプを挟み込んで空隙保持部材とクーリングパイプの組み立てを容易に行うことができる。従って、空隙保持部材及びクーリングパイプの設置を容易に行うことができるので、天然芝の養生作業の作業性をより向上させることができる。
【００１５】
また、クーリングパイプは、空隙保持部材の内部に挿通されていてもよい。このように、クーリングパイプを空隙保持部材の内部に挿通させて空隙保持部材及びクーリングパイプの設置を行うことができる。
【００１６】
本発明に係る養生方法は、天然芝を養生する養生方法であって、空隙部を有する空隙保持部材にクーリングパイプを設置する工程と、クーリングパイプが設けられた空隙保持部材を天然芝に載せる工程と、クーリングパイプ及び空隙保持部材に、クーリングパイプ及び空隙保持部材を保護すると共にクーリングパイプ及び空隙保持部材を断熱する断熱剛性部材を載せる工程と、を備える。
【００１７】
この養生方法では、空隙部を有する空隙保持部材によって天然芝を覆うことにより、天然芝の呼吸を妨げないようにすることができるので、天然芝の生育が妨げられないようにすることができる。また、前述した養生構造と同様、クーリングパイプを空隙保持部材に設置することにより、天然芝を−５℃以上且つ０℃以下に冷却させて温度管理を適切に行うことができるので、天然芝を冬眠状態にして冬季に天然芝を傷めないようにすることができる。更に、クーリングパイプ及び空隙保持部材に断熱剛性部材を載せることにより、前述した養生構造と同様、空隙保持部材及びクーリングパイプを保護して荷重に対する耐性を高めることができる。よって、断熱剛性部材に上から荷重をかけても天然芝に対する影響を抑えることができる。その結果、天然芝を冬眠させた状態で断熱剛性部材の上でコンサート等のイベントを行うことができる。また、断熱剛性部材によって空隙保持部材及びクーリングパイプを断熱することにより、前述した養生構造と同様、天然芝に対する冷却作用を確実に維持することができるので、天然芝をより確実に冬眠状態に維持することができる。
【００１８】
また、クーリングパイプを設置する工程は、空隙保持部材を構成する第１空隙保持部材と第２空隙保持部材との間にクーリングパイプを挟み込む工程と、第１空隙保持部材及び第２空隙保持部材に複数のピンを挿通させて第１空隙保持部材と第２空隙保持部材とを互いに接合する工程と、を含んでおり、空隙保持部材を天然芝に載せる工程では、天然芝に当該複数のピンを挿し込んでもよい。この場合、第１空隙保持部材と第２空隙保持部材の間にクーリングパイプを挟み込むことにより、空隙保持部材とクーリングパイプの組み立てを容易に行うことができる。また、第１空隙保持部材及び第２空隙保持部材に複数のピンを挿通させると共に、当該複数のピンを天然芝に挿し込むことにより、天然芝に空隙保持部材を固定して天然芝の上で空隙保持部材を支えることができる。従って、空隙保持部材の設置を容易に行うことができると共に、天然芝に対する空隙保持部材の位置ずれを抑制することができる。
【００１９】
また、空隙保持部材を天然芝に載せる工程の前に、天然芝に耐踏圧資材を埋め込む工程を備えてもよい。この場合、天然芝に空隙保持部材を設置する前に耐踏圧資材を天然芝に埋め込むことにより、空隙保持部材の設置前に天然芝の地耐力を高めることができる。従って、耐踏圧資材を天然芝に埋め込むことによって、荷重に対する天然芝の耐力を高めることができる。
【発明の効果】
【００２０】
本発明によれば、温度管理を適切に行うと共に、天然芝を保護することができる。
【図面の簡単な説明】
【００２１】
【図１】第１実施形態に係る養生構造が適用される野球場の例を示す平面図である。
【図２】図１の野球場に養生構造が適用された状態の例を示す平面図である。
【図３】第１実施形態に係る養生構造の縦断面を模式的に示す図である。
【図４】図３の養生構造の空隙保持部材を示す縦断面図である。
【図５】図３の養生構造のクーリングパイプを挟んだ２つの空隙保持部材を示す平面図である。
【図６】（ａ）及び（ｂ）は、第１実施形態に係る養生方法を含むと共に図１の野球場に養生構造を敷設する方法の例を示す平面図である。
【図７】第２実施形態に係る養生構造の空隙保持部材及びクーリングパイプを示す縦断面図である。
【発明を実施するための形態】
【００２２】
以下では、図面を参照しながら、本発明に係る養生構造及び養生方法の実施形態について説明する。図面の説明において、同一又は相当する要素には同一の符号を付し、重複する説明を適宜省略する。また、図面は、理解を容易にするため、一部を簡略化又は誇張して描いている場合があり、寸法等は図面に記載のものに限定されない。
【００２３】
（第１実施形態）
図１は、第１実施形態に係る養生構造１が適用される対象の例を示す野球場Ｇの平面図である。図２は、野球場Ｇに養生構造１が適用された例を示す平面図である。図１及び図２に示されるように、養生構造１は、例えば、野球場Ｇの天然芝１１が設けられる箇所に対して全体的に敷設される。野球場Ｇは、例えば、開閉式のドーム球場であるが、開閉式でないドーム球場であってもよいし、ドームが無い球場であってもよい。
【００２４】
野球場Ｇでは、例えば、毎年３月から１１月までの間（春季から秋季までの間）には野球が行われ、１２月から２月までの間（冬季）にはイベントが行われる。養生構造１は、例えば、冬季の間に設置される構造である。イベントとは、競技以外の集客できる催しを示しており、例えば、コンサート、フェス又は見本市等を含んでいる。このように、野球場Ｇは、野球等の競技だけでなくイベント会場としても使用される。また、野球場Ｇでは、野球以外の競技が行われてもよい。
【００２５】
図３は、養生構造１を示す断面図である。図３に示されるように、養生構造１は、野球場Ｇの天然芝１１を養生するための構造である。養生構造１は、野球場Ｇの天然芝１１を凍結しない程度に冷却し、天然芝１１の代謝活動を低下させて天然芝１１を冬眠させる。天然芝１１は、例えば、寒地型の芝草（冬芝）であり、冬季に枯れない芝草である。一例として、天然芝１１は砂層１２と、砂層１２の下部に位置する砂利層１３とを備えた土壌Ｂに設けられており、砂層１２の上面には耐踏圧資材１４が設けられる。
【００２６】
砂層１２は、混合砂が含まれる層であり、砂層１２の砂の粒径は砂利層１３の砂利の粒径よりも小さい。砂層１２は、天然芝１１の生育空間を構成する層であり、天然芝１１の根が張る層である。砂層１２には複数の温度調整パイプ１５が埋め込まれており、各温度調整パイプ１５の内部に熱媒体を供給することによって土壌Ｂの温度が調整される。温度調整パイプ１５は、例えば、３月、４月、１０月又は１１月等、比較的寒冷なときには土壌Ｂを加熱して、７月又は８月等、暑いときには土壌Ｂを冷却する。
【００２７】
砂利層１３には有孔管１６が埋め込まれており、有孔管１６には水が通される。砂層１２と砂利層１３の間には、目潰し砂利１７が設けられており、目潰し砂利１７によって砂利層１３に含まれる砂利の間の隙間が埋められている。目潰し砂利１７は、例えば、水と空気のみを通す層を構成する。砂層１２と砂利層１３の間に目潰し砂利１７が設けられることにより、砂利層１３に含まれる砂利の間に砂層１２の砂が落下することが抑制されるので、土壌Ｂの不陸を防止することが可能となる。
【００２８】
砂利層１３の下部には断熱材１８が設けられる。断熱材１８は、例えば、ＥＰＳ（ExpandedPoly-Styrene）建材であり、発泡プラスチック系の断熱材であってもよい。断熱材１８は発泡スチロールによって構成されていてもよい。また、断熱材１８は、木材、ウレタンフォーム、ポリスチレンフォーム又はグラスファイバー等の各種断熱ボードであってもよい。断熱材１８は、砂利層１３、砂層１２及び天然芝１１を下から断熱している。すなわち、天然芝１１、砂層１２及び砂利層１３は断熱材１８より下方の熱から断熱されている。よって、断熱材１８の下方の熱を遮断することにより、天然芝１１、砂層１２及び砂利層１３の熱量計算及び温度調整を容易に行うことが可能である。
【００２９】
耐踏圧資材１４は、例えば、芝生保護材であり、天然芝１１を荷重から保護する資材である。すなわち、耐踏圧資材１４は、天然芝１１の地耐力を高める資材である。一例として、耐踏圧資材１４は、樹脂製であり、鉛直方向に延びる複数の筒部が地面に沿って配列される形状とされている。耐踏圧資材１４は、ハニカム状とされていてもよい。耐踏圧資材１４は、例えば、砂層１２に埋め込まれている。また、耐踏圧資材１４は、金属製であってもよいし、メッシュエレメントであってもよい。このように耐踏圧資材１４の形状及び材料は適宜変更可能である。
【００３０】
養生構造１は、耐踏圧資材１４が設けられた天然芝１１を冷却して天然芝１１を保護する。養生構造１は、天然芝１１を覆う空隙保持部材２と、空隙保持部材２に設けられるクーリングパイプ３と、空隙保持部材２を天然芝１１に対して固定する複数のピン４と、空隙保持部材２を覆う断熱剛性部材５とを備える。本実施形態では、断熱剛性部材５は、空隙保持部材２に載せられる剛性部材６と、剛性部材６に載せられる断熱材７とを含んでいる。断熱材７の上部には、人又は車等の荷重が付与される。
【００３１】
空隙保持部材２は、例えば、第１空隙保持部材２ａと、第２空隙保持部材２ｂとを含んでいる。第１空隙保持部材２ａ及び第２空隙保持部材２ｂは、例えば、互いに同一の材料によって構成されており、互いに同一の大きさであってもよい。以下では、第１空隙保持部材２ａ及び第２空隙保持部材２ｂをまとめて説明する場合、並びに、第１空隙保持部材２ａ及び第２空隙保持部材２ｂを総称する場合には、第１空隙保持部材２ａ及び第２空隙保持部材２ｂを空隙保持部材２として説明する。
【００３２】
図４は、空隙保持部材２（第１空隙保持部材２ａ及び第２空隙保持部材２ｂのそれぞれ）を示す断面図である。図４に示されるように、空隙保持部材２は空隙部２ｅを有しており、空隙部２ｅは例えば空隙保持部材２の全体に設けられる。このため、空隙保持部材２は高い通気性及び光透過性を備える。空隙保持部材２は緩衝材として機能してもよい。空隙保持部材２は、プラスチック立体網状成形品であってもよい。この場合、空隙保持部材２を軽量化することができる。空隙保持部材２は、例えば、耐圧性及び排水性能を有する部材であって、集水性を有していてもよい。
【００３３】
空隙保持部材２は、硬質プラスチックによって構成された立体網状構造体２ｃを含んでいる。立体網状構造体２ｃは、例えば、線状の樹脂部材２ｄが不規則に絡み合って形成された三次元樹脂構造体である。立体網状構造体２ｃの線状の樹脂部材２ｄの間には微細な空間が形成されており、この微細な空間が空隙部２ｅに相当する。空隙保持部材２は、線状の樹脂部材２ｄ及び空隙部２ｅを含むことにより、天然芝１１に線接触又は点接触する。
【００３４】
図３に示されるように、クーリングパイプ３は、第１空隙保持部材２ａと第２空隙保持部材２ｂの間に挟み込まれている。第１空隙保持部材２ａ及び第２空隙保持部材２ｂは、例えば、予めロール状とされている。ロール状とされた第１空隙保持部材２ａが広げられて第１空隙保持部材２ａの上にクーリングパイプ３が載せられ、クーリングパイプ３が第２空隙保持部材２ｂと第１空隙保持部材２ａの間に挟み込まれることにより、空隙保持部材２にクーリングパイプ３が設けられる。
【００３５】
クーリングパイプ３が第１空隙保持部材２ａ及び第２空隙保持部材２ｂの間に挟み込まれることにより、温度分布の偏りが大きくならない程度にクーリングパイプ３を天然芝１１に近づけることができる。よって、天然芝１１の効率的な冷却が可能となる。図５は、空隙保持部材２に挟み込まれたクーリングパイプ３の一例を示す図であり、クーリングパイプ３は空隙保持部材２の全体にわたるように配置されている。クーリングパイプ３は、例えば、平面視において長方形状とされる空隙保持部材２の一辺２ｆの端部から第１方向Ｄ１に入り込む。
【００３６】
クーリングパイプ３は、第１方向Ｄ１に入り込んだ部分から空隙保持部材２の面内方向であって且つ第１方向Ｄ１に交差する第２方向Ｄ２に曲げられて第２方向Ｄ２に直線状に延在する。空隙保持部材２の第２方向Ｄ２の一端から他端まで延びるクーリングパイプ３は、空隙保持部材２の第２方向Ｄ２の他端において反対方向に曲がって折り返されて当該反対方向に延在する。
【００３７】
このように、クーリングパイプ３は、空隙保持部材２において、第２方向Ｄ２に蛇行しながら第１方向Ｄ１に延在しており、空隙保持部材２の全体にわたるように配置される。また、空隙保持部材２に設けられたクーリングパイプ３は、隣接する空隙保持部材２のクーリングパイプ３に第１方向Ｄ１に沿って連結される。これにより、クーリングパイプ３は空隙保持部材２を介して天然芝１１を均一に冷却させることが可能となる。
【００３８】
複数の空隙保持部材２の間で互いに連結された複数のクーリングパイプ３の端部には熱交換器が接続されており、熱交換器からクーリングパイプ３には冷媒が供給される。クーリングパイプ３に供給される冷媒は、例えば、不凍液である。不凍液は、天然芝１１に接触しても天然芝１１に無害な材料によって構成されており、一例として、プロピレングリコールによって構成されていてもよい。
【００３９】
不凍液としては、例えば、原液ではなく、薄めたものが用いられる。一例として、クーリングパイプ３に−１０℃程度の不凍液を流し込むことによって空隙保持部材２を介して天然芝１１が冷却され、これにより天然芝１１の温度が−５℃以上且つ０℃以下に冷却される。クーリングパイプ３には不凍液が連続的に供給され、これにより天然芝１１の温度は−５℃以上且つ０℃以下に維持される。
【００４０】
ピン４は、クーリングパイプ３を挟んだ第１空隙保持部材２ａ及び第２空隙保持部材２ｂを互いに接合すると共に、天然芝１１に空隙保持部材２を固定する。複数のピン４は、空隙保持部材２（第１空隙保持部材２ａ及び第２空隙保持部材２ｂ）に互いに間隔を空けて挿通される間隔保持ピンである。一例として、各ピン４は、平面視における空隙保持部材２の四隅のそれぞれに挿通される。但し、各ピン４が挿通される位置は適宜変更可能である。
【００４１】
図３に示されるように、空隙保持部材２に挿通されたピン４は天然芝１１に挿入される。このように空隙保持部材２に挿通された複数のピン４が天然芝１１に挿入されることにより、天然芝１１の上方で空隙保持部材２及びクーリングパイプ３が支持される。また、複数のピン４が互いに間隔を空けて空隙保持部材２及びクーリングパイプ３を支持することにより、天然芝１１を傷めないようにすることができると共に、荷重の付与に伴う空隙保持部材２の位置ずれを抑制することができる。
【００４２】
剛性部材６は、空隙保持部材２及びピン４の上に載せられる板状の部材である。剛性部材６は、例えば、プラスチック板である。この場合、剛性部材６を軽量化することができる。剛性部材６は、上から付与された線荷重を面荷重に変えて空隙保持部材２の変形を抑制して空隙保持部材２を保護する剛性板である。すなわち、剛性部材６は、荷重分散を行うと共に空隙保持部材２を保護する機能を有する。なお、剛性部材６はメッシュ状又は格子状のグレーチングであってもよく、剛性部材６の材料及び形状は適宜変更可能である。
【００４３】
剛性部材６の天然芝１１側の面６ａには、発光素子８が取り付けられている。発光素子８は、天然芝１１よりも上方であって且つ天然芝１１から離間した位置に設けられる。発光素子８は、空隙保持部材２を介して天然芝１１に光を照射する発光素子であり、例えば、ＬＥＤ（発光ダイオード）である。このように発光素子８が空隙保持部材２を介して天然芝１１に光を照射することにより、天然芝１１にはうっすらとした光が照射される。面６ａには、例えば、複数の発光素子８が取り付けられており、各発光素子８は、青系統の波長が短い可視光を下方に照射する。
【００４４】
断熱材７は、例えば断熱材１８と同様、ＥＰＳ建材であり、発泡プラスチック系の断熱材であってもよく、発泡スチロールによって構成されていてもよい。この場合、断熱材７を軽量化することができるので、養生構造１の敷設の作業を容易に行うことができる。また、断熱材７がＥＰＳ建材である場合、断熱材７の曲げ強さを高めることができるため、断熱材７の荷重分散性を高めることができる。なお、断熱材７は、木材、ウレタンフォーム、ポリスチレンフォーム又はグラスファイバー等の各種断熱ボードであってもよい。
【００４５】
断熱材７は剛性部材６、空隙保持部材２、クーリングパイプ３及び天然芝１１を断熱しており、剛性部材６、空隙保持部材２、クーリングパイプ３及び天然芝１１は断熱材７より上方の熱から断熱されている。このように断熱材７の上方の熱を遮断することにより、剛性部材６、空隙保持部材２、クーリングパイプ３及び天然芝１１の熱量計算及び温度制御を容易に行うことができる。すなわち、野球場Ｇの空調によって温度調整された断熱材７の上方の熱の影響を断熱材７より下において遮断することができる。
【００４６】
次に、本実施形態に係る養生方法について説明する。以下では、前述した養生構造１によって野球場Ｇを養生する方法について説明する。すなわち、野球場Ｇで冬季にイベントが行われるときに養生構造１によって野球場Ｇの天然芝１１を養生する方法について説明する。まず、初期状態は、目潰し砂利１７及び断熱材１８が設けられた土壌Ｂに天然芝１１が植え込まれた状態であり、この天然芝１１に対して養生構造１で養生を行う。まず、天然芝１１に耐踏圧資材１４を埋め込む。このとき、耐踏圧資材１４を砂層１２に埋め込んで天然芝１１に対して耐踏圧資材１４を固定し、天然芝１１の地耐力を高める（耐踏圧資材を埋め込む工程）。
【００４７】
一方、空隙部２ｅを有する第１空隙保持部材２ａと第２空隙保持部材２ｂを用意して、第１空隙保持部材２ａと第２空隙保持部材２ｂの間にクーリングパイプ３を挟み込んで空隙保持部材２とクーリングパイプ３と組み立てる（クーリングパイプを挟み込む工程）。具体的には、ロール状とされた第１空隙保持部材２ａを広げて第１空隙保持部材２ａの上にクーリングパイプ３を載せ、その後、クーリングパイプ３を第１空隙保持部材２ａの反対側から第２空隙保持部材２ｂで挟み込む。このようにクーリングパイプ３を挟み込んだ状態で第２空隙保持部材２ｂ及び第１空隙保持部材２ａに複数のピン４を挿通して第１空隙保持部材２ａ及び第２空隙保持部材２ｂを互いに接合する（第１空隙保持部材と第２空隙保持部材とを互いに接合する工程）。
【００４８】
次に、第１空隙保持部材２ａ及び第２空隙保持部材２ｂを接合した複数のピン４のそれぞれを天然芝１１に挿入し、天然芝１１に空隙保持部材２を載せる（空隙保持部材を天然芝に載せる工程）。このとき、第１空隙保持部材２ａから突出する複数のピン４のそれぞれを突き刺すことにより、天然芝１１に対して空隙保持部材２を固定する。また、図５に示されるように、複数の空隙保持部材２のクーリングパイプ３を互いに接続させる。続いて、空隙保持部材２及びピン４に剛性部材６を載せると共に、剛性部材６の上に断熱材７を載せる（断熱剛性部材を載せる工程）。
【００４９】
図６（ａ）及び図６（ｂ）は、野球場Ｇに断熱材７を敷き詰める方法の例を示す平面図である。図６（ａ）及び図６（ｂ）に示されるように、野球場Ｇの外野に一対に設けられた出入口Ｇ１から車で複数の断熱材７が野球場Ｇの内部に搬入され、野球場Ｇの平面視の中央から断熱材７の配置が行われる。一例として、断熱材７の面積は約１ｍ２であり、野球場Ｇの面積は約９０００ｍ２であるため、野球場Ｇには約９０００枚の断熱材７が配置される。
【００５０】
前述したように断熱材７は軽量であり人手で運搬することができるものであるため、作業員１人あたりで１日５０枚程度の断熱材７を配置することが可能である。従って、１０人の作業員で断熱材７の配置を行う場合、１日に５００枚の断熱材７を配置することができるので、１８日程度で断熱材７の配置を完了させることができる。野球場Ｇの面積、及び作業員の人数によっては、１０日〜１５日程度で断熱材７の配置を完了させることが可能である。以上のように、野球場Ｇに断熱材７の配置を行った後に養生方法の一連の工程が完了する。
【００５１】
次に、本実施形態に係る養生構造１及び養生方法の作用効果について詳細に説明する。図３及び図４に示されるように、本実施形態に係る養生構造１及び養生方法では、空隙部２ｅを有する空隙保持部材２が天然芝１１を覆う。従って、天然芝１１の上方に空隙保持部材２の空隙部２ｅが設けられることにより、天然芝１１の呼吸を妨げないようにすることができるので、天然芝１１の生育が妨げられないようにすることができる。
【００５２】
また、空隙保持部材２には天然芝１１を冷却するクーリングパイプ３が設けられているので、クーリングパイプ３に冷媒を供給することによって天然芝１１を−５℃以上且つ０℃以下に冷却させて温度管理を適切に行うことができる。よって、天然芝１１に雪を被せた状態を再現することができ、天然芝１１を冬眠状態にすることができるので、冬季に天然芝１１を傷めないようにすることができる。従って、春季に競技を開始するときに天然芝１１を回復させることができる。
【００５３】
更に、クーリングパイプ３及び空隙保持部材２には断熱剛性部材５が載せられるので、断熱剛性部材５によってクーリングパイプ３及び空隙保持部材２を保護することができる。すなわち、断熱剛性部材５に荷重がかかっても空隙保持部材２及びクーリングパイプ３が潰れないようにすることができ、荷重に対する耐性を高めることができる。従って、断熱剛性部材５に上から荷重をかけても天然芝１１に対する影響を抑えることができるため、天然芝１１を冬眠させた状態で断熱剛性部材５の上でコンサート等のイベントを行うことができる。
【００５４】
また、断熱剛性部材５によってクーリングパイプ３及び空隙保持部材２が断熱されるので、クーリングパイプ３及び空隙保持部材２が外部の温度の影響を受けないようにすることができると共に、クーリングパイプ３及び空隙保持部材２の冷熱が断熱剛性部材５の外部に逃げないようにすることができる。従って、天然芝１１に対する冷却作用を確実に維持することができるので、天然芝１１をより確実に冬眠状態に維持することができる。
【００５５】
また、養生構造１は、空隙保持部材２に挿通されて天然芝１１に空隙保持部材２を固定する複数のピン４を備える。複数のピン４が空隙保持部材２に挿通されることによって天然芝１１に空隙保持部材２を固定して天然芝１１の上で空隙保持部材２を支えることができる。従って、空隙保持部材２を天然芝１１の上で支えることによって天然芝１１を傷めないようにすることができると共に、天然芝１１に対する空隙保持部材２の位置ずれを抑制することができる。
【００５６】
また、断熱剛性部材５は、空隙保持部材２の上方に位置する剛性部材６と、剛性部材６に載せられる断熱材７とを含む。空隙保持部材２の上方に設けられる剛性部材６によって、上から荷重がかかっても荷重を分散することができる。剛性部材６は、空隙保持部材２の上部で上からかかる荷重を分散するため、空隙保持部材２にかかる荷重を抑えて空隙保持部材２を保護することができる。また、剛性部材６の上部に断熱材７が設けられることにより、断熱材７を剛性部材６とは別にして軽量の断熱材７を用いることができる。従って、断熱材７の運搬及び敷設を容易に行うことができるので、天然芝１１の養生作業の作業性を向上させることができる。
【００５７】
また、養生構造１は、断熱剛性部材５の天然芝１１側の面６ａに取り付けられて天然芝１１に光を照射する発光素子８を更に備える。従って、発光素子８から空隙保持部材２を介して天然芝１１に光を照射することにより、天然芝１１に対する雪の透過光を再現することができる。よって、天然芝１１にぼんやりとした青系統の光を照射して波長が短い光を天然芝１１に照射することができるので、天然芝１１の生育をより確実に維持することができる。
【００５８】
また、空隙保持部材２は、天然芝１１に対向する第１空隙保持部材２ａと、第１空隙保持部材２ａから見て天然芝１１の反対側に位置する第２空隙保持部材２ｂとを含んでおり、クーリングパイプ３は、第１空隙保持部材２ａ及び第２空隙保持部材２ｂの間に挟まれている。よって、第１空隙保持部材２ａ及び第２空隙保持部材２ｂの間にクーリングパイプ３を挟み込んで空隙保持部材２とクーリングパイプ３の組み立てを容易に行うことができる。従って、空隙保持部材２及びクーリングパイプ３の設置を容易に行うことができるので、天然芝１１の養生作業の作業性をより向上させることができる。
【００５９】
また、本実施形態に係る養生方法において、クーリングパイプ３を設置する工程は、空隙保持部材２を構成する第１空隙保持部材２ａと第２空隙保持部材２ｂとの間にクーリングパイプ３を挟み込む工程と、第１空隙保持部材２ａ及び第２空隙保持部材２ｂに複数のピン４を挿通させて第１空隙保持部材２ａと第２空隙保持部材２ｂとを互いに接合する工程と、を含んでおり、空隙保持部材２を天然芝１１に載せる工程では、天然芝１１に複数のピン４を挿し込む。よって、第１空隙保持部材２ａと第２空隙保持部材２ｂの間にクーリングパイプ３を挟み込むことにより、空隙保持部材２とクーリングパイプ３の組み立てを容易に行うことができる。
【００６０】
また、第１空隙保持部材２ａ及び第２空隙保持部材２ｂに複数のピン４を挿通させると共に、複数のピン４を天然芝１１に挿し込むことにより、天然芝１１に空隙保持部材２を固定して天然芝１１の上で空隙保持部材２を支えることができる。従って、空隙保持部材２の設置を容易に行うことができると共に、天然芝１１に対する空隙保持部材２の位置ずれを抑制することができる。
【００６１】
また、本実施形態に係る養生工程では、空隙保持部材２を天然芝１１に載せる工程の前に、天然芝１１に耐踏圧資材１４を埋め込む工程を備える。よって、天然芝１１に空隙保持部材２を設置する前に耐踏圧資材１４を天然芝１１に埋め込むことにより、空隙保持部材２の設置前に天然芝１１の地耐力を高めることができる。従って、耐踏圧資材１４を天然芝１１に埋め込むことによって、荷重に対する天然芝１１の耐力を高めることができる。
【００６２】
更に、本実施形態に係る養生構造１では、天然芝１１、空隙保持部材２及びクーリングパイプ３が断熱剛性部材５と断熱材１８との間に設けられている。従って、天然芝１１、空隙保持部材２及びクーリングパイプ３の上下が断熱されるので、天然芝１１等の温度管理を一層容易に行うことができる。
【００６３】
（第２実施形態）
次に、第２実施形態について図７を参照しながら説明する。第２実施形態に係る養生構造は、空隙保持部材２２及びクーリングパイプ２３の構成が第１実施形態と異なっている。以降の説明では、第１実施形態と重複する説明を適宜省略する。図７に示されるように、第２実施形態に係るクーリングパイプ２３は、空隙保持部材２２の内部に挿通されている。空隙保持部材２２の内部におけるクーリングパイプ２３の配置は、クーリングパイプ３と同様、第２方向Ｄ２に蛇行しながら第１方向Ｄ１に延在しており、空隙保持部材２２の全体にわたるように配置される。
【００６４】
以上、第２実施形態に係る養生構造は、空隙保持部材２２及びクーリングパイプ２３を備えることにより、クーリングパイプ２３に冷媒を供給して天然芝１１を−５℃以上且つ０℃以下に冷却させることができる。従って、第１実施形態と同様の作用効果が得られる。また、第２実施形態では、クーリングパイプ２３を空隙保持部材２２の内部に挿通させて空隙保持部材２２及びクーリングパイプ２３の設置を行うことができる。更に、空隙保持部材２２の内部にクーリングパイプ２３が挿通されることにより、１枚の空隙保持部材２２のみを用意すればよいので部材の点数を減らすことができる。
【００６５】
以上、本発明に係る養生構造及び養生方法の各実施形態について説明したが、本発明は、前述した各実施形態に限定されるものではなく、各請求項に記載した要旨を変更しない範囲において変形してもよい。すなわち、養生構造の各部の形状、大きさ、材料、数及び配置態様、並びに、養生方法の各工程の内容及び順序は、上記の要旨を逸脱しない範囲において適宜変更可能である。
【００６６】
例えば、前述の実施形態では、樹脂製の立体網状構造体２ｃを含む空隙保持部材２について説明したが、空隙保持部材の形状及び材料は適宜変更可能である。また、耐踏圧資材の形状及び材料についても適宜変更可能である。例えば、前述した耐踏圧資材１４、及び立体網状構造体２ｃを含む空隙保持部材２に代えて、格子状又は多角形状に分散して配置された複数の凸部を有する樹脂製の芝生保護材を空隙保持部材として備えていてもよい。この場合、上方に突出する芝生保護材の複数の凸部によって剛性部材及び断熱材を支持することができる。このように、空隙保持部材は、立体網状構造体とは異なる態様の空洞を有する空隙保持部材であってもよいし、樹脂製でない空隙保持部材であってもよい。また、空隙保持部材の数は、３枚以上であってもよく、適宜変更可能である。
【００６７】
また、前述の実施形態では、空隙保持部材２において第２方向Ｄ２に蛇行しながら第１方向Ｄ１に延在するクーリングパイプ３について説明した。しかしながら、空隙保持部材におけるクーリングパイプの配置態様は適宜変更可能である。また、ピン４の配置態様についても適宜変更可能である。更に、丈夫で強度が高い空隙保持部材を用いた場合には、ピン４を省略することも可能である。
【００６８】
また、前述の実施形態では、プラスチック板の剛性部材６、及びＥＰＳである断熱材７について説明したが、剛性部材及び断熱材の材料及び種類は適宜変更可能である。例えば、ＥＰＳの断熱材７に代えて、ＸＰＳ、ＰＵＦ、ＰＥＦ又はＰＦ等の他の発泡プラスチック系断熱材を備えていてもよいし、繊維系の断熱材を備えていてもよい。更に、前述の実施形態では、断熱剛性部材５が剛性部材６及び断熱材７を含む例について説明したが、剛性部材及び断熱材が一体となった断熱剛性部材であってもよい。
【００６９】
また、前述の実施形態では、天然芝１１が植えられた土壌Ｂに耐踏圧資材１４、温度調整パイプ１５、有孔管１６、目潰し砂利１７及び断熱材１８が設けられる例について説明した。しかしながら、天然芝１１が植えられる土壌は、耐踏圧資材１４、温度調整パイプ１５、有孔管１６、目潰し砂利１７及び断熱材１８が設けられる構成に限られず、適宜変更可能である。
【００７０】
また、前述の実施形態では、野球場Ｇの天然芝１１を養生する養生構造１及び養生方法について説明した。しかしながら、養生構造及び養生方法の態様は適宜変更可能である。例えば、天然芝１１を冷却して天然芝１１を冬眠状態としているときに土壌Ｂに気泡（空気又は酸素）を供給してもよい。また、養生構造及び養生方法が適用される対象は、野球場Ｇとは異なる形状及び大きさを備える野球場であってもよい。更に、本発明に係る養生構造及び養生方法は、野球場以外の場所にも適用可能であり、例えば、サッカー場、ラグビー場、テニスコート、ゴルフ場、若しくは陸上競技場等の他の天然芝グラウンド、又は、競技場以外の天然芝の管理が必要な場所にも適用することが可能である。
【符号の説明】
【００７１】
１…養生構造、２，２２…空隙保持部材、２ａ…第１空隙保持部材、２ｂ…第２空隙保持部材、２ｃ…立体網状構造体、２ｄ…樹脂部材、２ｅ…空隙部、２ｆ…一辺、３，２３…クーリングパイプ、４…ピン、５…断熱剛性部材、６…剛性部材、６ａ…面、７…断熱材、８…発光素子、１１…天然芝、１２…砂層、１３…砂利層、１４…耐踏圧資材、１５…温度調整パイプ、１６…有孔管、１７…目潰し砂利、１８…断熱材、Ｂ…土壌、Ｄ１…第１方向、Ｄ２…第２方向、Ｇ…野球場、Ｇ１…出入口。
【図１】
2018166504.tif 000003
【図２】
2018166504.tif 000004
【図３】
2018166504.tif 000005
【図４】
2018166504.tif 000006
【図５】
2018166504.tif 000007
【図６】
2018166504.tif 000008
【図７】
2018166504.tif 000009